(57)【要約】【課題】従来の受信装置では、アンテナの指向性が考慮されておらず特性改善に限界があった。【解決手段】アンテナ２０ａで受信する受信部１ａ、受信信号の状態を検知し検知情報を出力する検知部４ａ、受信信号の特性を変更する特性可変部２ａ、予め検知情報に対応して設定された、信号特性を改善する為の特性制御情報を格納した特性制御関係記憶部２１ａ、検知情報に応じて特性制御関係記憶部２１ａに基づいて特性制御情報を決定し特性可変部２ａを制御する特性制御部５ａをそれぞれ有するＮ個（Ｎは２以上）の受信ユニット３ａ、３ｂと、各特性可変部２ａの出力信号を合成する合成部６と、予め各検知情報に対応して設定された、合成部６の合成出力信号の音質を改善する為の合成制御情報を格納した合成制御関係記憶部２２と、各検知情報に応じて合成制御関係記憶部２２に基づいて合成制御情報を決定し合成部６を制御する合成制御部７とを備えた。【選択図】図１
2008199128.tif 000002
【特許請求の範囲】
【請求項１】
アンテナを介して放送信号を受信する受信部、前記受信部が受信した受信信号の状態を検知して検知情報を出力する検知部、前記受信信号の特性を変更する特性可変部、予め前記検知情報に対応して設定された、前記受信信号の特性を改善するための特性制御情報を格納した特性制御関係情報記憶部および、前記検知情報に応じて前記特性制御関係情報記憶部に基づいて前記特性制御情報を決定し、前記特性可変部を制御する特性制御部をそれぞれ有する、Ｎ個（Ｎは２以上の整数）の特性改善受信ユニットと、
それぞれの前記特性可変部によって特性が改善されたそれぞれの前記受信信号を合成する合成部と、
予めそれぞれの前記検知情報の全部または一部に対応して設定された、前記合成部で合成されて出力される信号の音質を改善するための合成制御情報を格納した合成制御関係情報記憶部と、
それぞれの前記検知情報の全部または一部に応じて、前記合成制御関係情報記憶部に基づいて前記合成制御情報を決定し、前記合成部を制御する合成制御部とを備えた受信装置。
【請求項２】
アンテナを介して放送信号を受信する受信部、前記受信部が受信した受信信号の状態を検知して検知情報を出力する検知部および、前記受信信号の特性を変更する特性可変部をそれぞれ有する、Ｎ個（Ｎは２以上の整数）の受信ユニットと、
それぞれの前記特性可変部によって特性が変更されたそれぞれの前記受信信号を合成する合成部と、
予めそれぞれの前記検知情報に対応して設定された、前記合成部で合成されて出力される信号の音質を改善するための、それぞれの前記特性可変部に入力する特性制御情報および前記合成部に入力する合成制御情報を格納した特性合成制御関係情報記憶部と、
それぞれの前記検知情報に応じて、前記特性合成制御関係情報記憶部に基づいてそれぞれの前記特性制御情報および前記合成制御情報を決定し、それぞれの前記特性可変部および前記合成部を制御する特性合成制御部とを備えた受信装置。
【請求項３】
前記検知部は、所定の期間が経過する毎に前記検知情報を出力する、請求項１または２に記載の受信装置。
【請求項４】
それぞれの前記検知情報の属する範囲が、その検知情報の内容に応じて複数設けられており、
前記特性制御部は、入力されてくる前記検知情報の属する範囲が変化した際に、前記特性制御情報を決定し、
前記合成制御部は、入力されてくるＮ個の前記検知情報のうちの少なくともいずれか１つの検知情報の属する範囲が変化した際に、前記合成制御情報を決定する、請求項１に記載の受信装置。
【請求項５】
それぞれの前記検知情報の属する範囲が、その検知情報の内容に応じて複数設けられており、
前記特性合成制御部は、入力されてくるＮ個の前記検知情報のうちの少なくともいずれか１つの検知情報の属する範囲が変化した際に、前記特性制御情報および前記合成制御情報を決定する、請求項２に記載の受信装置。
【請求項６】
前記合成部で合成されて出力される信号の特性を変更する合成信号特性可変部と、
予めそれぞれの前記検知情報の全部または一部に対応して設定された、前記合成部から出力される前記信号の特性を改善するための合成信号特性制御情報を格納した合成信号特性制御関係情報記憶部と、
それぞれの前記検知情報の全部または一部に応じて、前記合成信号特性制御関係情報記憶部に基づいて前記合成信号特性制御情報を決定し、前記合成信号特性可変部を制御する合成信号特性制御部とを備えた、請求項１に記載の受信装置。
【請求項７】
前記放送信号は、変調情報を含んでおり、
前記合成部で合成されて出力される信号を復調する復調部と、
前記復調部で復調された信号の特性を変更する復調信号特性可変部と、
予めそれぞれの前記検知情報の全部または一部に対応して設定された、前記復調部で復調された前記信号の特性を改善するための復調信号特性制御情報を格納した復調信号特性制御関係情報記憶部と、
それぞれの前記検知情報の全部または一部に応じて、前記復調信号特性制御関係情報記憶部に基づいて前記復調信号特性制御情報を決定し、前記復調信号特性可変部を制御する復調信号特性制御部とを備えた、請求項１に記載の受信装置。
【請求項８】
アンテナを介して放送信号を受信する受信部、前記受信部が受信した受信信号の状態を検知して検知情報を出力する検知部および、前記受信信号の特性を変更する特性可変部をそれぞれ有する、Ｎ個（Ｎは２以上の整数）の受信ユニットと、
それぞれの前記特性可変部によって特性が変更されたそれぞれの前記受信信号を合成する合成部と、
前記合成部で合成されて出力される信号の特性を変更する合成信号特性可変部と、
予めそれぞれの前記検知情報に対応して設定された、前記合成信号特性可変部で特性が変更されて出力される信号の音質を改善するための、それぞれの前記特性可変部に入力する特性制御情報、前記合成部に入力する合成制御情報および、前記合成信号特性可変部に入力する合成信号特性制御情報を格納した合成総合関係情報記憶部と、
それぞれの前記検知情報に応じて、前記合成総合関係情報記憶部に基づいてそれぞれの前記特性制御情報、前記合成制御情報および前記合成信号特性制御情報を決定し、それぞれの前記特性可変部、前記合成部および前記合成信号特性可変部を制御する特性合成総合制御部とを備えた受信装置。
【請求項９】
アンテナを介して変調情報を含む放送信号を受信する受信部、前記受信部が受信した受信信号の状態を検知して検知情報を出力する検知部および、前記受信信号の特性を変更する特性可変部をそれぞれ有する、Ｎ個（Ｎは２以上の整数）の受信ユニットと、
それぞれの前記特性可変部によって特性が変更されたそれぞれの前記受信信号を合成する合成部と、
前記合成部で合成されて出力される信号を復調する復調部と、
前記復調部で復調された信号の特性を変更する復調信号特性可変部と、
予めそれぞれの前記検知情報に対応して設定された、前記復調信号特性可変部で特性が変更されて出力される信号の音質を改善するための、それぞれの前記特性可変部に入力する特性制御情報、前記合成部に入力する合成制御情報および、前記復調信号特性可変部に入力する復調信号特性制御情報を格納した合成復調総合関係情報記憶部と、
それぞれの前記検知情報に応じて、前記合成復調総合関係情報記憶部に基づいてそれぞれの前記特性制御情報、前記合成制御情報および前記復調信号特性制御情報を決定し、それぞれの前記特性可変部、前記合成部および前記復調信号特性可変部を制御する特性合成復調総合制御部とを備えた受信装置。
【請求項１０】
前記合成制御情報は、少なくとも、ダイバーシティ最適受信特性制御出力、アンテナ切り替えダイバーシティ最適受信特性制御出力、およびアレー合成アンテナダイバーシティ最適受信特性制御出力のいずれかの出力情報を含んでいる、請求項１、２、８および９のいずれかに記載の受信装置。
【請求項１１】
請求項１に記載の受信装置の、放送信号を受信する前記受信部、受信信号の状態を検知して検知情報を出力する前記検知部、前記受信信号の特性を変更する前記特性可変部、前記検知情報に応じて前記特性制御関係情報記憶部に基づいて前記特性制御情報を決定し前記特性可変部を制御する前記特性制御部、それぞれの前記特性可変部によって特性が改善されたそれぞれの前記受信信号を合成する前記合成部、それぞれの前記検知情報の全部または一部に応じて前記合成制御関係情報記憶部に基づいて前記合成制御情報を決定し前記合成部を制御する前記合成制御部としてコンピュータを機能させるためのプログラム。
【請求項１２】
請求項２に記載の受信装置の、放送信号を受信する前記受信部、受信信号の状態を検知して検知情報を出力する前記検知部、前記受信信号の特性を変更する前記特性可変部、それぞれの前記特性可変部によって特性が変更されたそれぞれの前記受信信号を合成する前記合成部、それぞれの前記検知情報に応じて、前記特性合成制御関係情報記憶部に基づいてそれぞれの前記特性制御情報および前記合成制御情報を決定し、それぞれの前記特性可変部および前記合成部を制御する前記特性合成制御部としてコンピュータを機能させるためのプログラム。
【請求項１３】
請求項１１または１２に記載のプログラムを記録した記録媒体であって、コンピュータで利用可能な記録媒体。
【発明の詳細な説明】
【技術分野】
【０００１】
本発明は、放送および通信の分野で使用される受信装置等に関するものである。
【背景技術】
【０００２】
携帯電話やカーステレオなどの音声を受信する受信装置では、入力電界強度などに応じて受信信号の特性を変化させて、実用上の聞き易さを確保している。
【０００３】
アナログＩＣやディスクリートパーツなどの構成によりアナログ的に受信信号の特性を制御するものでは、制御特性にばらつきが生じやすく、場合によっては調整が必要であった。この問題に対応するために、受信信号の状態に対応した特性改善のためのパラメータを予め記憶させておき、受信状態に応じたパラメータを用いてデジタル的に受信信号の特性を制御する受信装置が開示されている（例えば、特許文献１参照）。
【０００４】
図１４は、特許文献１に開示されているＦＭ放送受信装置のブロック図を示している。
【０００５】
ＦＭ放送電波をアンテナ１０７によって受信する受信部１０１と、受信部１０１で受信した受信信号をデジタル信号に変換するＡ／Ｄ変換部１０２を備えている。また、受信部１０１による受信状態を解析する受信状態解析部１０４と、デジタル信号に変換された受信信号に対して特性改善処理を行うデジタル信号処理部１０３と、デジタル信号処理部１０３を制御する制御部１０５を備えている。また、デジタル信号処理部１０３の各種パラメータ値を記憶させているパラメータテーブル記憶部１０６を備えている。
【０００６】
パラメータテーブル記憶部１０６には、特性改善のためにデジタル信号処理部１０３に設定するパラメータが、各種受信状態に対応して予めプリセットされている。
【０００７】
受信部１０１で受信されたＦＭ放送電波は、Ａ／Ｄ変換部１０２でデジタル信号に変換されてデジタル信号処理部１０３に入力される。一方、受信されたＦＭ放送電波は受信状態解析部１０４で受信状態が解析されて、その解析結果に応じて制御部１０５により、パラメータテーブル記憶部１０６からパラメータ値が読み出されて、デジタル信号処理部１０３のパラメータ値が設定されて、デジタル信号に変換されたＦＭ放送電波に対して特性改善処理が実行される。
【０００８】
このように、特性改善のための所要特性をパラメータテーブル記憶部１０６に予めプリセットしておき、受信状態に応じた所要特性を用いてデジタル的な信号処理による特性改善を行うので、特性のばらつきをなくすことができる。また、各々の特性を入力電界強度に応じて独立に特性改善することができるので、アナログ的に制御する受信装置のような相互の干渉がなく、調整の必要もなくすことができる。
【０００９】
また、入力電界強度と受信機雑音スペクトルの関係を示すテーブルを予め準備しておき、雑音混じりの受信機音声信号スペクトルから、そのテーブルから読み出した雑音スペクトルの予測値を減算処理して、音声出力信号のＳＮ比を改善するＦＭ放送受信装置もある（例えば、特許文献２参照）。
【特許文献１】特許第２７７０４７５号公報
【特許文献２】特開平５−３１５９８５号公報
【発明の開示】
【発明が解決しようとする課題】
【００１０】
しかしながら、従来のＦＭ放送受信装置では、１つのアンテナで受信した信号に対して特性改善処理をしていたので、受信信号の特性改善に限界があった。また、１つのアンテナの構成では、指向性も考慮した受信信号の特性改善ができなかった。
【００１１】
例えば、マルチパス妨害やフェージングに対しては、アンテナの指向性を考慮しなければ十分な対応ができないが、特許文献１や特許文献２に記載のような１つのチューナの構成のＦＭ放送受信装置では指向性を変化させることができないので、これらの問題に対しては十分な対応ができなかった。
【００１２】
また特に、送信局を同一とするマルチパス妨害波や、送信局が異なる他送信局の同一チャンネル妨害波などの、希望波と同一の周波数を有する妨害波の排除は困難であった。なお、ここでは、直接受信できる受信したい信号の電波を希望波といい、それ以外の電波を妨害波という。
【００１３】
本発明は、上述した従来の課題を解決するもので、従来よりも特性改善能力の高い受信装置等を提供することを目的とする。
【課題を解決するための手段】
【００１４】
上述した課題を解決するために、第１の本発明は、
アンテナを介して放送信号を受信する受信部、前記受信部が受信した受信信号の状態を検知して検知情報を出力する検知部、前記受信信号の特性を変更する特性可変部、予め前記検知情報に対応して設定された、前記受信信号の特性を改善するための特性制御情報を格納した特性制御関係情報記憶部および、前記検知情報に応じて前記特性制御関係情報記憶部に基づいて前記特性制御情報を決定し、前記特性可変部を制御する特性制御部をそれぞれ有する、Ｎ個（Ｎは２以上の整数）の特性改善受信ユニットと、
それぞれの前記特性可変部によって特性が改善されたそれぞれの前記受信信号を合成する合成部と、
予めそれぞれの前記検知情報の全部または一部に対応して設定された、前記合成部で合成されて出力される信号の音質を改善するための合成制御情報を格納した合成制御関係情報記憶部と、
それぞれの前記検知情報の全部または一部に応じて、前記合成制御関係情報記憶部に基づいて前記合成制御情報を決定し、前記合成部を制御する合成制御部とを備えた受信装置である。
【００１５】
また、第２の本発明は、
アンテナを介して放送信号を受信する受信部、前記受信部が受信した受信信号の状態を検知して検知情報を出力する検知部および、前記受信信号の特性を変更する特性可変部をそれぞれ有する、Ｎ個（Ｎは２以上の整数）の受信ユニットと、
それぞれの前記特性可変部によって特性が変更されたそれぞれの前記受信信号を合成する合成部と、
予めそれぞれの前記検知情報に対応して設定された、前記合成部で合成されて出力される信号の音質を改善するための、それぞれの前記特性可変部に入力する特性制御情報および前記合成部に入力する合成制御情報を格納した特性合成制御関係情報記憶部と、
それぞれの前記検知情報に応じて、前記特性合成制御関係情報記憶部に基づいてそれぞれの前記特性制御情報および前記合成制御情報を決定し、それぞれの前記特性可変部および前記合成部を制御する特性合成制御部とを備えた受信装置である。
【００１６】
また、第３の本発明は、
前記検知部は、所定の期間が経過する毎に前記検知情報を出力する、第１または第２の本発明の受信装置である。
【００１７】
また、第４の本発明は、
それぞれの前記検知情報の属する範囲が、その検知情報の内容に応じて複数設けられており、
前記特性制御部は、入力されてくる前記検知情報の属する範囲が変化した際に、前記特性制御情報を決定し、
前記合成制御部は、入力されてくるＮ個の前記検知情報のうちの少なくともいずれか１つの検知情報の属する範囲が変化した際に、前記合成制御情報を決定する、第１の本発明の受信装置である。
【００１８】
また、第５の本発明は、
それぞれの前記検知情報の属する範囲が、その検知情報の内容に応じて複数設けられており、
前記特性合成制御部は、入力されてくるＮ個の前記検知情報のうちの少なくともいずれか１つの検知情報の属する範囲が変化した際に、前記特性制御情報および前記合成制御情報を決定する、第２の本発明の受信装置である。
【００１９】
また、第６の本発明は、
前記合成部で合成されて出力される信号の特性を変更する合成信号特性可変部と、
予めそれぞれの前記検知情報の全部または一部に対応して設定された、前記合成部から出力される前記信号の特性を改善するための合成信号特性制御情報を格納した合成信号特性制御関係情報記憶部と、
それぞれの前記検知情報の全部または一部に応じて、前記合成信号特性制御関係情報記憶部に基づいて前記合成信号特性制御情報を決定し、前記合成信号特性可変部を制御する合成信号特性制御部とを備えた、第１の本発明の受信装置である。
【００２０】
また、第７の本発明は、
前記放送信号は、変調情報を含んでおり、
前記合成部で合成されて出力される信号を復調する復調部と、
前記復調部で復調された信号の特性を変更する復調信号特性可変部と、
予めそれぞれの前記検知情報の全部または一部に対応して設定された、前記復調部で復調された前記信号の特性を改善するための復調信号特性制御情報を格納した復調信号特性制御関係情報記憶部と、
それぞれの前記検知情報の全部または一部に応じて、前記復調信号特性制御関係情報記憶部に基づいて前記復調信号特性制御情報を決定し、前記復調信号特性可変部を制御する復調信号特性制御部とを備えた、第１の本発明の受信装置である。
【００２１】
また、第８の本発明は、
アンテナを介して放送信号を受信する受信部、前記受信部が受信した受信信号の状態を検知して検知情報を出力する検知部および、前記受信信号の特性を変更する特性可変部をそれぞれ有する、Ｎ個（Ｎは２以上の整数）の受信ユニットと、
それぞれの前記特性可変部によって特性が変更されたそれぞれの前記受信信号を合成する合成部と、
前記合成部で合成されて出力される信号の特性を変更する合成信号特性可変部と、
予めそれぞれの前記検知情報に対応して設定された、前記合成信号特性可変部で特性が変更されて出力される信号の音質を改善するための、それぞれの前記特性可変部に入力する特性制御情報、前記合成部に入力する合成制御情報および、前記合成信号特性可変部に入力する合成信号特性制御情報を格納した合成総合関係情報記憶部と、
それぞれの前記検知情報に応じて、前記合成総合関係情報記憶部に基づいてそれぞれの前記特性制御情報、前記合成制御情報および前記合成信号特性制御情報を決定し、それぞれの前記特性可変部、前記合成部および前記合成信号特性可変部を制御する特性合成総合制御部とを備えた受信装置である。
【００２２】
また、第９の本発明は、
アンテナを介して変調情報を含む放送信号を受信する受信部、前記受信部が受信した受信信号の状態を検知して検知情報を出力する検知部および、前記受信信号の特性を変更する特性可変部をそれぞれ有する、Ｎ個（Ｎは２以上の整数）の受信ユニットと、
それぞれの前記特性可変部によって特性が変更されたそれぞれの前記受信信号を合成する合成部と、
前記合成部で合成されて出力される信号を復調する復調部と、
前記復調部で復調された信号の特性を変更する復調信号特性可変部と、
予めそれぞれの前記検知情報に対応して設定された、前記復調信号特性可変部で特性が変更されて出力される信号の音質を改善するための、それぞれの前記特性可変部に入力する特性制御情報、前記合成部に入力する合成制御情報および、前記復調信号特性可変部に入力する復調信号特性制御情報を格納した合成復調総合関係情報記憶部と、
それぞれの前記検知情報に応じて、前記合成復調総合関係情報記憶部に基づいてそれぞれの前記特性制御情報、前記合成制御情報および前記復調信号特性制御情報を決定し、それぞれの前記特性可変部、前記合成部および前記復調信号特性可変部を制御する特性合成復調総合制御部とを備えた受信装置である。
【００２３】
また、第１０の本発明は、
前記合成制御情報は、少なくとも、ダイバーシティ最適受信特性制御出力、アンテナ切り替えダイバーシティ最適受信特性制御出力、およびアレー合成アンテナダイバーシティ最適受信特性制御出力のいずれかの出力情報を含んでいる、第１、第２、第８および第９のいずれかの本発明の受信装置である。
【００２４】
また、第１１の本発明は、
第１の本発明の受信装置の、放送信号を受信する前記受信部、受信信号の状態を検知して検知情報を出力する前記検知部、前記受信信号の特性を変更する前記特性可変部、前記検知情報に応じて前記特性制御関係情報記憶部に基づいて前記特性制御情報を決定し前記特性可変部を制御する前記特性制御部、それぞれの前記特性可変部によって特性が改善されたそれぞれの前記受信信号を合成する前記合成部、それぞれの前記検知情報の全部または一部に応じて前記合成制御関係情報記憶部に基づいて前記合成制御情報を決定し前記合成部を制御する前記合成制御部としてコンピュータを機能させるためのプログラムである。
【００２５】
また、第１２の本発明は、
第２の本発明の受信装置の、放送信号を受信する前記受信部、受信信号の状態を検知して検知情報を出力する前記検知部、前記受信信号の特性を変更する前記特性可変部、それぞれの前記特性可変部によって特性が変更されたそれぞれの前記受信信号を合成する前記合成部、それぞれの前記検知情報に応じて、前記特性合成制御関係情報記憶部に基づいてそれぞれの前記特性制御情報および前記合成制御情報を決定し、それぞれの前記特性可変部および前記合成部を制御する前記特性合成制御部としてコンピュータを機能させるためのプログラムである。
【００２６】
また、第１３の本発明は、
第１１または第１２の本発明のプログラムを記録した記録媒体であって、コンピュータで利用可能な記録媒体である。
【発明の効果】
【００２７】
本発明により、従来よりも特性改善能力の高い受信装置等を提供できる。
【発明を実施するための最良の形態】
【００２８】
以下、本発明の実施の形態について、図面を用いて説明する。
【００２９】
（実施の形態１）
図１に、本発明の実施の形態１の受信装置のブロック図を示す。
【００３０】
本実施の形態１の受信装置は、第１アンテナ２０ａによって放送電波を受信する第１受信部１ａと、第１受信部１ａにおける受信状態を検知する第１受信入力検知部４ａと、第１受信部１ａで受信した受信信号に対して特性改善処理を行う第１受信特性可変部２ａを備えている。また、第１制御情報テーブル２１ａを参照して、第１受信入力検知部４ａの検知結果に基づいて第１受信特性可変部２ａを制御する第１特性制御部５ａを備えている。
【００３１】
これらの、第１受信部１ａ、第１受信特性可変部２ａ、第１受信入力検知部４ａ、第１特性制御部５ａ、および第１制御情報テーブル２１ａで、第１特性改善受信ユニット３ａを構成している。
【００３２】
また、第１アンテナ２０ａとは異なる位置に配置されている第２アンテナ２０ｂによって放送電波を受信する第２受信部１ｂと、第２受信部１ｂにおける受信状態を検知する第２受信入力検知部４ｂと、第２受信部１ｂで受信した受信信号に対して特性改善処理を行う第２受信特性可変部２ｂを備えている。また、第２制御情報テーブル２１ｂを参照して、第２受信入力検知部４ｂの検知結果に基づいて第２受信特性可変部２ｂを制御する第２特性制御部５ｂを備えている。
【００３３】
これらの、第２受信部１ｂ、第２受信特性可変部２ｂ、第２受信入力検知部４ｂ、第２特性制御部５ｂ、および第２制御情報テーブル２１ｂで、第２特性改善受信ユニット３ｂを構成している。
【００３４】
このように、本実施の形態１の受信装置は、複数の特性改善受信ユニット３ａ、３ｂを備えていることを特徴とする。
【００３５】
なお、ここでは、特性改善受信ユニットが２つの場合の構成を例にして説明している。すなわち、図１は本発明のＮ＝２の場合の構成例を示しているが、特性改善受信ユニットが３つ以上（Ｎが３以上）の構成であってもよい。
【００３６】
さらに、本実施の形態１の受信装置は、第１特性改善受信ユニット３ａの出力と第２特性改善受信ユニット３ｂの出力の２つの出力信号を、合成して出力し、もしくは切替えて出力する合成切替部６と、合成切替部６を制御する合成切替制御部７と、合成切替制御部７が合成切替部６を制御する際に参照する合成切替テーブル２２を備えている。
【００３７】
なお、第１受信特性可変部２ａおよび第２受信特性可変部２ｂが、本発明の特性可変部の一例にあたり、第１特性制御部５ａおよび第２特性制御部５ｂが、本発明の特性制御部の一例にあたる。また、合成切替部６が、本発明の合成部の一例にあたり、合成切替制御部７が、本発明の合成制御部の一例にあたる。また、第１制御情報テーブル２１ａおよび第２制御情報テーブル２１ｂが、本発明の特性制御関係情報記憶部の一例にあたり、合成切替テーブル２２が、本発明の合成制御関係情報記憶部の一例にあたる。
【００３８】
次に、本実施の形態１の受信装置で放送電波を受信する際の動作について、図１および図２を用いて説明する。
【００３９】
図２は、本実施の形態１の受信装置における各制御情報の設定フローを示している。
【００４０】
第１制御情報テーブル２１ａには、第１受信入力検知部４ａで検知された検知情報と、その検知情報が得られた第１受信部１ａにおける受信信号の受信特性を第１受信特性可変部２ａによって最適な受信特性に改善できる第１受信特性可変部２ａに入力する制御パラメータと、が対応づけられた関係情報が予め格納されている。
【００４１】
同様に、第２制御情報テーブル２１ｂには、第２受信入力検知部４ｂで検知された検知情報と、その検知情報が得られた第２受信部１ｂにおける受信信号の受信特性を第２受信特性可変部２ｂによって最適な受信特性に改善できる第２受信特性可変部２ｂに入力する制御パラメータと、が対応づけられた関係情報が予め格納されている。
【００４２】
なお、第１受信特性可変部２ａおよび第２受信特性可変部２ｂに入力する制御パラメータが、本発明の特性制御情報の一例にあたる。
【００４３】
なお、本実施の形態１の受信装置のように、第１アンテナ２０ａおよび第１特性改善受信ユニット３ａの構成と、第２アンテナ２０ｂおよび第２特性改善受信ユニット３ｂの構成が同一の場合には、第２制御情報テーブル２１ｂは、第１制御情報テーブル２１ａと同じテーブルを用いることができる。図１では、これらの２つのテーブルを分けて記載しているが、これらのテーブルが同じテーブルの場合には、共通の１つのテーブルをメモリ上に格納しておき、第１特性制御部５ａおよび第２特性制御部５ｂがその１つのテーブルを共用してアクセスするような構成にしてもよい。
【００４４】
第１受信部１ａが、第１アンテナ２０ａによって放送電波を受信すると、第１受信入力検知部４ａは、第１受信部１ａにおける受信状態を検知する（Ｓ３０）。第１特性制御部５ａは、第１制御情報テーブル２１ａを参照して、第１受信入力検知部４ａで得られた検知情報に対応する制御パラメータを決定し、その制御パラメータを第１受信特性可変部２ａに入力する（Ｓ３１）。このようにして、第１受信特性可変部２ａからは、第１受信部１ａで受信された受信信号の受信特性が、入力された制御パラメータで特定される内容または程度に応じて改善処理された信号が出力される。
【００４５】
一方、第２受信部１ｂが、第２アンテナ２０ｂによって放送電波を受信すると、第２受信入力検知部４ｂは、第２受信部１ｂにおける受信状態を検知する（Ｓ３２）。第２特性制御部５ｂは、第２制御情報テーブル２１ｂを参照して、第２受信入力検知部４ｂで得られた検知情報に対応する制御パラメータを決定し、その制御パラメータを第２受信特性可変部２ｂに入力する（Ｓ３３）。このようにして、第２受信特性可変部２ｂからは、第２受信部１ｂで受信された受信信号の受信特性が、入力された制御パラメータで特定される内容または程度に応じて改善処理された信号が出力される。
【００４６】
また、合成切替テーブル２２には、第１受信入力検知部４ａで検知された検知情報および第２受信入力検知部４ｂで検知された検知情報の両方の検知情報の組み合わせと、それらの検知情報が得られた際に第１受信特性可変部２ａで改善された受信信号と第２受信特性可変部２ｂで改善された受信信号を合成または切り替えた信号が最適な品質となる合成切替部６に入力する合成パラメータと、が対応づけられた関係情報が予め格納されている。
【００４７】
なお、ここで言う合成パラメータとは、ダイバーシティ受信における合成パラメータであり、いずれか一方の信号に切り替えるパラメータも含んでいる。また、合成切替部６に入力する合成パラメータが、本発明の合成制御情報の一例にあたる。
【００４８】
合成切替制御部７は、合成切替テーブル２２を参照して、第１受信入力検知部４ａで検知された検知情報と第２受信入力検知部４ｂで検知された検知情報の２つの検知情報の組み合わせに対応する合成パラメータを決定し、その合成パラメータを合成切替部６に入力する（Ｓ３４）。このようにして、合成切替部６からは、最適な品質に合成された受信信号が出力される（Ｓ３５）。
【００４９】
なお、第１特性制御部５ａおよび第２特性制御部５ｂは、第１受信入力検知部４ａおよび第２受信入力検知部４ｂから取得した検知情報が、第１制御情報テーブル２１ａまたは第２制御情報テーブル２１ｂに無い場合には、その検知情報に近似の各テーブルにある検知情報に対応する制御パラメータから補間して、その検知情報に対応する制御パラメータを算出または決定し、その制御パラメータを第１受信特性可変部２ａおよび第２受信特性可変部２ｂに入力する。
【００５０】
同様に、合成切替制御部７も、第１受信入力検知部４ａおよび第２受信入力検知部４ｂで検知された検知情報の組み合わせが合成切替テーブル２２に無い場合には、それらの検知情報に近似の合成切替テーブル２２にある検知情報に対応する合成パラメータから補間して、その検知情報に対応する合成パラメータを算出または決定し、その合成パラメータを合成切替部６に入力する。
【００５１】
このように、第１受信入力検知部４ａおよび第２受信入力検知部４ｂからの両方の検知情報の組み合わせに基づいた合成パラメータに応じて、第１受信部１ａに入力され改善処理された信号と第２受信部１ｂに入力され改善処理された信号が合成切替部６で合成される。
【００５２】
２つのアンテナ２０ａ、２０ｂで受信された２つの受信信号がそれぞれ改善処理され、それらの改善処理された２つの信号のうちの優れた特性部分を合成するダイバーシティ制御が行われることになり、高品質の受信信号を出力させることができる。例えば、２つの信号のうちの一方の信号の受信特性の方が特に優れているような場合には、優れている方の信号がそのまま出力されるように切り替え制御される。これに対して図１４に示すような１つの受信部１０１で受信する受信装置では、この場合の受信特性が劣っている方の信号を受信しているような場合には、その受信特性の劣っている信号を基に改善処理するしかなく、特性改善に限界があった。
【００５３】
このように、本実施の形態１の受信装置は、複数の受信ユニットで放送電波を受信する構成にしたことにより、ダイバーシティ制御が行えるので、１つの受信ユニットで受信する受信装置に比べて、高品質な出力信号を出力させることができる。
【００５４】
なお、本実施の形態１の合成切替部６に入力する合成パラメータは、第１受信入力検知部４ａおよび第２受信入力検知部４ｂの両方で検知された検知情報に対応して決定することとしたが、例えば、受信ユニットが３以上（Ｎが３以上）の場合など、合成パラメータの決定の際に考慮しない検知情報があってもよい。例えば、Ｎ＝３以上の場合に、両端に配置される２つのアンテナから受信した信号に対する２つの検知情報だけを考慮して合成パラメータを決定するようにしてもよい。
【００５５】
なお、第１特性制御部５ａ、第２特性制御部５ｂ、および合成切替制御部７が、それぞれ第１受信特性可変部２ａ、第２受信特性可変部２ｂ、および合成切替部６に、制御パラメータまたは合成パラメータを入力するタイミングは、その受信装置の使用環境に応じて設定すればよい。
【００５６】
例えば、移動することが少ない宅内で使用されるステレオなどの場合には、受信状態の変化が小さいと予想されるため、電源ＯＮ時にだけ受信状態を検知させ、これらのパラメータを入力させるようにしてもよい。
【００５７】
一方、カーステレオなどのように、受信状態が刻々と変化するような場合には、短い所定の期間が経過する毎に受信状態を検知させ、その期間毎にこれらのパラメータを入力するようにしてもよい。このときの所定の期間は、その受信装置の想定される受信環境などに応じて設定すればよい。
【００５８】
また、第１受信特性可変部２ａおよび第２受信特性可変部２ｂの検知タイミングを、所定の短い期間毎としておき、その検知状態が変化した場合にのみ、これらのパラメータを入力するようにしてもよい。この場合の検知状態の変化の判断は、例えば、検知状態がいずれかの範囲に属するような複数の範囲を予め決めておき、検知状態が属する範囲が変わった場合に「検知状態が変化した」と判定することで実現できる。
【００５９】
ここでいう「範囲」とは、例えば、検知情報が数値で表される場合には、検知情報が取り得る数値の全範囲を第１、第２、第３の範囲に区切った各範囲を言い、「属する範囲が変わった」とは、例えば、検知情報の属する範囲が第１の範囲から第２の範囲に変化した場合である。したがって、この場合に、検知情報の値が多少変化しても属する範囲が変わらなければ、「検知状態が変化した」と判定せず、各パラメータの入力は行わない。
【００６０】
なお、このときの検知状態の変化の判断は、第１受信入力検知部４ａおよび第２受信入力検知部４ｂが行うようにしてもよいし、第１特性制御部５ａおよび第２特性制御部５ｂが行うようにしてもよい。
【００６１】
次に、第１受信入力検知部４ａや第２受信入力検知部４ｂで検知され出力される検知情報と、その検知情報に基づいて第１制御情報テーブル２１ａや第２制御情報テーブル２１ｂを参照して決定され、第１受信特性可変部２ａや第２受信特性可変部２ｂに入力される制御パラメータとの関係の例を、改善する特性毎の５つの具体例を用いて説明する。
【００６２】
まず第１の具体例として、ＳＭＣ（ソフト・ミュート・コントロール）処理の具体例について説明する。
【００６３】
第１受信入力検知部４ａは、第１受信部１ａにおける受信信号の振幅レベルを検出し、検知情報として、その振幅レベルの情報を第１特性制御部５ａに渡す。
【００６４】
第１制御情報テーブル２１ａには、第１受信入力検知部４ａから渡される振幅レベルの情報と、第１受信特性可変部２ａに入力するソフト・ミュート特性パラメータとが対応づけられている。この場合のソフト・ミュート特性パラメータが、上記した第１受信特性可変部２ａに入力する制御パラメータの一例である。
【００６５】
この場合、第１制御情報テーブル２１ａでは、小さい振幅レベルに対して、第１受信特性可変部２ａにおいて受信信号の出力レベルを低下させるように処理するソフト・ミュート特性パラメータが対応づけられている。振幅レベルが小さいということは、弱入力電界強度レベルの状態にあるということなので、第１受信特性可変部２ａにおいて受信信号の出力レベルを低下させることにより、弱電界ノイズを聴感的に軽減させることができる。
【００６６】
そして、第１制御情報テーブル２１ａでは、大きい振幅レベルに対しては、第１受信特性可変部２ａにおいて受信信号の出力レベルを定常レベルにするように処理するソフト・ミュート特性パラメータが対応づけられている。振幅レベルが大きいということは、強入力電界強度レベルの状態にあるということなので、第１受信特性可変部２ａにおいて受信信号の出力レベルを定常レベルに高上させることにより、音声品質を損なわない高音質受信を実現できる。
【００６７】
上記は、第１アンテナ２０ａで受信した信号の受信特性の改善処理について説明したが、第２制御情報テーブル２１ｂも、上記と同様に、第２受信入力検知部４ｂから渡される振幅レベルの情報と、第２受信特性可変部２ｂに入力するソフト・ミュート特性パラメータとが対応づけられており、第２アンテナ２０ｂで受信した信号についても同様に処理される。
【００６８】
次に、第２の具体例として、ＳＮＣ（ステレオ・ノイズ・コントロール）処理について説明する。
【００６９】
この場合も、第１受信入力検知部４ａは、第１受信部１ａにおける受信信号の振幅レベルを検出し、検知情報として、その振幅レベルの情報を第１特性制御部５ａに渡す。
【００７０】
第１制御情報テーブル２１ａには、第１受信入力検知部４ａから渡される振幅レベルの情報と、第１受信特性可変部２ａに入力するステレオ分離度特性パラメータとが対応づけられている。この場合のステレオ分離度特性パラメータが、上記した第１受信特性可変部２ａに入力する制御パラメータの一例である。
【００７１】
この場合、第１制御情報テーブル２１ａでは、小さい振幅レベルに対して、第１受信特性可変部２ａにおいて受信信号のステレオ分離度を小さくするように処理するステレオ分離度特性パラメータが対応づけられている。振幅レベルが小さいということは、弱入力電界強度レベルの状態にあるということなので、第１受信特性可変部２ａにおいてステレオＬＲ信号を加算（モノラルに近づける）してステレオ分離度を小さくすることにより、ステレオノイズ成分が低減される。その結果、ステレオノイズを聴感的に軽減させることができる。
【００７２】
そして、第１制御情報テーブル２１ａでは、大きい振幅レベルに対しては、第１受信特性可変部２ａにおいて受信信号のステレオ分離度を定常状態にするように処理するステレオ分離度特性パラメータが対応づけられている。振幅レベルが大きいということは、強入力電界強度レベルの状態にあるということなので、第１受信特性可変部２ａにおいてステレオ分離度を定常状態に大きくすることにより、ステレオ音声品質を損なわない高音質受信を実現できる。
【００７３】
上記は、第１アンテナ２０ａで受信した信号の受信特性の改善処理について説明したが、第２制御情報テーブル２１ｂも、上記と同様に、第２受信入力検知部４ｂから渡される振幅レベルの情報と、第２受信特性可変部２ｂに入力するステレオ分離度特性パラメータとが対応づけられており、第２アンテナ２０ｂで受信した信号についても同様に処理される。
【００７４】
次に、第３の具体例として、ＨＣＣ（ハイ・カット・コントロール）処理について説明する。
【００７５】
この場合も、第１受信入力検知部４ａは、第１受信部１ａにおける受信信号の振幅レベルを検出し、検知情報として、その振幅レベルの情報を第１特性制御部５ａに渡す。
【００７６】
第１制御情報テーブル２１ａには、第１受信入力検知部４ａから渡される振幅レベルの情報と、第１受信特性可変部２ａに入力する高域周波数特性パラメータとが対応づけられている。この場合の高域周波数特性パラメータが、上記した第１受信特性可変部２ａに入力する制御パラメータの一例である。
【００７７】
この場合、第１制御情報テーブル２１ａでは、小さい振幅レベルに対して、第１受信特性可変部２ａにおいて受信信号の周波数特性の高域レベルを低減するように処理する高域周波数特性パラメータが対応づけられている。振幅レベルが小さいということは、弱入力電界強度レベルの状態にあるということなので、第１受信特性可変部２ａにおいてステレオノイズが存在する高域レベルを低下させて、ステレオノイズのレベルを低減させる。その結果、ステレオノイズを聴感的に軽減させることができる。
【００７８】
そして、第１制御情報テーブル２１ａでは、大きい振幅レベルに対しては、第１受信特性可変部２ａにおいて受信信号の周波数特性の高域レベルを定常状態にするように処理する高域周波数特性パラメータが対応づけられている。振幅レベルが大きいということは、強入力電界強度レベルの状態にあるということなので、第１受信特性可変部２ａにおいて周波数特性の高域レベルを定常状態のレベルに高上させることにより、ステレオ音声品質を損なわない高音質受信を実現できる。
【００７９】
上記は、第１アンテナ２０ａで受信した信号の受信特性の改善処理について説明したが、第２制御情報テーブル２１ｂも、上記と同様に、第２受信入力検知部４ｂから渡される振幅レベルの情報と、第２受信特性可変部２ｂに入力する高域周波数特性パラメータとが対応づけられており、第２アンテナ２０ｂで受信した信号についても同様に処理される。
【００８０】
次に、第４の具体例として、ノイズ除去処理について説明する。
【００８１】
第１受信入力検知部４ａは、第１受信部１ａにおける受信信号の振幅エンベロープに重畳するパルス性ノイズを検出し、検知情報として、そのパルス性ノイズの波高値および波形幅の情報を第１特性制御部５ａに渡す。
【００８２】
第１制御情報テーブル２１ａには、第１受信入力検知部４ａから渡される波高値および波形幅の情報と、第１受信特性可変部２ａに入力するパルス性ノイズ除去処理の要否を示すパラメータとが対応づけられている。この場合のパルス性ノイズ除去処理の要否を示すパラメータが、上記した第１受信特性可変部２ａに入力する制御パラメータの一例である。
【００８３】
この場合、第１制御情報テーブル２１ａでは、所定の値を超える波高値および波形幅に対して、第１受信特性可変部２ａにおいて「パルス性ノイズ除去処理を行う」ことを示すパラメータが対応づけられており、所定の値以下の波高値および波形幅に対しては、第１受信特性可変部２ａにおいて「パルス性ノイズ除去処理を行わない」ことを示すパラメータが対応づけられている。
【００８４】
これにより、所定の値を超える波高値および波形幅のパルス性ノイズが第１受信入力検知部４ａで検知された場合には、第１受信特性可変部２ａは、受信信号の振幅に重畳されたパルスノイズ重畳区間の開始部と終了部を直線補間手法などにより信号補完処理をして、パルスノイズ波形カット処理を行う。その結果、パルスノイズは低減され、音声品質を損なわない高音質受信を実現できる。
【００８５】
上記は、第１アンテナ２０ａで受信した信号の受信特性の改善処理について説明したが、第２制御情報テーブル２１ｂも、上記と同様に、第２受信入力検知部４ｂから渡される波高値および波形幅の情報と、第２受信特性可変部２ｂに入力するパルス性ノイズ除去処理の要否を示すパラメータとが対応づけられており、第２アンテナ２０ｂで受信した信号についても同様に処理される。
【００８６】
次に、第５の具体例として、マルチパス除去処理について説明する。
【００８７】
第１受信入力検知部４ａは、第１受信部１ａにおける受信信号の、振幅変動成分（以下、「ＡＭ成分」という）および希望波電界強度レベル対マルチパス妨害電界強度レベル（以下、「ＤＵ比」という）を検出し、検知情報として、それらの情報を第１特性制御部５ａに渡す。
【００８８】
第１制御情報テーブル２１ａには、第１受信入力検知部４ａから渡されるＡＭ成分およびＤＵ比の情報と、第１受信特性可変部２ａに入力するステレオ分離度特性パラメータおよび高域周波数特性パラメータとが対応づけられている。この場合のステレオ分離度特性パラメータおよび高域周波数特性パラメータが、上記した第１受信特性可変部２ａに入力する制御パラメータの一例である。
【００８９】
この場合、第１制御情報テーブル２１ａでは、受信信号におけるＡＭ成分が大きくＤＵ比が小さい場合に対して、第１受信特性可変部２ａにおいて受信信号のステレオ分離度を小さくし周波数特性の高域レベルを低下させるように処理するステレオ分離度特性パラメータおよび高域周波数特性パラメータとが対応づけられている。ＡＭ成分が大きくＤＵ比が小さいということは、マルチパス妨害の程度が強い状態にあるということなので、第１受信特性可変部２ａにおいて、ステレオ分離度を小さくし周波数特性の高域レベルを低下させることにより、マルチパス妨害ノイズを聴感的に軽減させることができる。
【００９０】
そして、第１制御情報テーブル２１ａでは、受信信号におけるＡＭ成分が小さくＤＵ比が大きい場合に対して、第１受信特性可変部２ａにおいて受信信号のステレオ分離度を大きくし周波数特性の高域レベルを低域レベルに近づけるように処理するステレオ分離度特性パラメータおよび高域周波数特性パラメータとが対応づけられている。ＡＭ成分が小さくＤＵ比が大きいということは、マルチパス妨害の程度が弱い状態にあるということなので、第１受信特性可変部２ａにおいて、ステレオ分離度を大きめにし、低下量を小さく周波数特性の高域レベルを低下させることにより、マルチパス妨害ノイズを聴感的に適度に軽減できるとともに、音声品質を損なわない高音質受信を実現できる。
【００９１】
上記は、第１アンテナ２０ａで受信した信号の受信特性の改善処理について説明したが、第２制御情報テーブル２１ｂも、上記と同様に、第２受信入力検知部４ｂから渡されるＡＭ成分およびＤＵ比の情報と、第２受信特性可変部２ｂに入力するステレオ分離度特性パラメータおよび高域周波数特性パラメータとが対応づけられており、第２アンテナ２０ｂで受信した信号についても同様に処理される。
【００９２】
ここでは、マルチパス妨害除去の対応として、第１受信特性可変部２ａおよび第２受信特性可変部２ｂに入力する制御パラメータを、ステレオ分離度特性パラメータおよび高域周波数特性パラメータとして説明したが、これらのパラメータに加えて、これらのパラメータのそれぞれに対する、立上り時定数、立下り時定数、制御維持時間などの制御時定数特性パラメータも、第１制御情報テーブル２１ａおよび第２制御情報テーブル２１ｂで、検知情報に対応づけるようにしてもよい。これらの制御時定数特性パラメータも、第１受信特性可変部２ａおよび第２受信特性可変部２ｂに入力させるようにすることにより、マルチパス妨害除去の効果をより向上させることができる。
【００９３】
また、合成切替テーブル２２には、第１受信入力検知部４ａから出力される検知情報および第２受信入力検知部４ｂから出力される検知情報に対して、合成切替部６に入力する合成パラメータが対応づけられている。
【００９４】
例えば、第１受信特性可変部２ａから出力される信号と第２受信特性可変部２ｂから出力される信号を合成する際の合成比率が、振幅レベルが大きいアンテナ側の信号やステレオ分離度の大きいアンテナ側の信号の方が大きくなるような合成パラメータを対応づけるようにしたり、検出された周波数特性に応じて周波数範囲によって合成する比率を異ならせるような合成パラメータを対応づけるようにしてもよい。また、２つの検知情報に応じて、第１受信特性可変部２ａから出力される信号または第２受信特性可変部２ｂから出力される信号のいずれか一方の信号が出力されるような、入力信号の切り替えを示す合成パラメータを対応づけるようにしてもよい。
【００９５】
そして、合成切替制御部７は、合成切替テーブル２２を参照して、第１受信入力検知部４ａおよび第２受信入力検知部４ｂから出力された検知情報に応じた合成パラメータを合成切替部６に入力するので、合成切替部６から高音質の合成受信信号を出力させることができる。
【００９６】
なお、ここでは、第１制御情報テーブル２１ａおよび第２制御情報テーブル２１ｂにおける検知情報と制御パラメータの関係をわかりやすく説明するために、改善する特性毎における関係を例に説明したが、本実施の形態１の受信装置の第１制御情報テーブル２１ａおよび第２制御情報テーブル２１ｂには、実際には、ある特定の特性のみを改善するための検知情報と制御パラメータとの対応づけがされているのではなく、複数の特性を総合的に改善するための、検知情報の組み合わせと制御パラメータとの対応づけがされている。
【００９７】
例えば、第１制御情報テーブル２１ａおよび第２制御情報テーブル２１ｂで対応づける検知情報と制御パラメータを、検知情報として振幅レベルのみ、制御パラメータとしてステレオ分離度特性パラメータのみとした場合には、上記の第２の具体例で示したようにステレオノイズのみが改善されることになるが、検知情報を、振幅レベルとＡＭ成分とＤＵ比の組み合わせとし、制御パラメータを、ステレオ分離度特性パラメータと高域周波数特性パラメータの組み合わせとすると、ステレオノイズと高周波ノイズとマルチパス妨害を総合的に改善できる。すなわち、上記した第２、第３、第５の具体例の改善処理を総合的に行わせることができる。
【００９８】
このように、本実施の形態１の受信装置は、複数の検知情報の組み合わせに対して、最良の音質に改善できる制御パラメータの組み合わせが対応づけられており、そのパラメータを第１受信特性可変部２ａおよび第２受信特性可変部２ｂに入力するので、総合的に音質が改善されて、最良の音質の出力とすることができる。
【００９９】
次に、第１制御情報テーブル２１ａ、第２制御情報テーブル２１ｂ、および合成切替テーブル２２の作成方法について説明する。
【０１００】
図１に示す構成の受信装置を用いた模擬試験モードにおいて、検知情報と各制御情報の対応関係を決定し、各テーブルを作成する。
【０１０１】
模擬試験モードでは、実際の受信環境において発生することが想定される受信環境条件を試験的にかつ全般的に模擬し、そのときの検知情報に対して、受信装置の受信出力信号の品質を最適にする各制御情報を、その検知情報に対応づける情報として決定する。
【０１０２】
具体例として、リスナーによる聴感評価を用いて検知情報と各制御情報との対応づけを決定する場合について説明する。
【０１０３】
ここでは、第１受信入力検知部４ａおよび第２受信入力検知部４ｂで検知される検知情報を、振幅レベルおよびＡＭ成分とし、第１受信特性可変部２ａおよび第２受信特性可変部２ｂに入力する特性制御パラメータを、高域周波数特性パラメータおよびステレオ分離度パラメータとし、合成切替部６に入力する合成制御パラメータを、第１受信特性可変部２ａおよび第２受信特性可変部２ｂから出力される信号を合成する配分を決める合成配分パラメータとする。
【０１０４】
まず、実際の受信環境において第１アンテナ２０ａから入力されると想定される信号を、模擬的に第１受信部１ａに入力する。このとき、合成切替部６は、第１特性改善受信ユニット３ａからの出力がそのまま合成切替部６から出力されるように設定しておき、第１受信特性可変部２ａに入力する制御パラメータを変化させながら、入力した制御パラメータ毎に出力される信号をスピーカやヘッドフォンなどから出力させて、その音を聴いて受信特性を評価する。
【０１０５】
図３（ａ）、（ｂ）は、それぞれ、異なる模擬信号を第１受信部１ａに入力した際の、第１受信特性可変部２ａから改善処理されて出力される信号の特性評価結果を示している。
【０１０６】
ここでは、第１受信特性可変部２ａから出力される信号の音質を、４人の評価者の主観により評価を行わせ、各評価者の評価結果を総合することにより、総合的な音質の判断としている。図３（ａ）、（ｂ）に示す４種類の記号は、各評価者の主観的な評価結果を４段階で表したものであり、その評価結果に点数づけをして、各評価者の点数の合計点を総合的な評価結果としている。図３（ａ）、（ｂ）の、各制御パラメータの評価結果として示している４人分の記号の下に記載の数値が、その制御パラメータにおける合計点を示している。
【０１０７】
図３（ａ）は、第１受信入力検知部４ａから出力される検知情報の振幅レベルがａ１、ＡＭ成分がｃ１となる模擬信号を第１受信部１ａに入力しておき、第１受信特性可変部２ａに入力する高域周波数特性パラメータをｆ１、ｆ２、ｆ３と変化させるとともに、ステレオ分離度パラメータをｓ１、ｓ２、ｓ３と変化させて、各制御パラメータについて評価を行った結果を示している。
【０１０８】
例えば、決定する制御パラメータに対して少なくとも必要であると規定する所定の特性レベルとして、ここでは「合計点が１０点以上」としておき、合計点が１０点以上の中から、このときの検知情報に対応づける制御パラメータを決定する。図３（ａ）の場合には、合計点が１０点以上となる制御パラメータの組み合わせが２つあるので、この中から対応づける制御パラメータを決定する。ここでは、その組み合わせの中でも点数の高い、（高域周波数特性パラメータ、ステレオ分離度パラメータ）＝（ｆ２、ｓ２）の組み合わせを、このときの検知情報に対応する制御パラメータと決定する。なお、図３（ａ）、（ｂ）で合計点を塗りつぶして示している部分は、対応づけを決定した制御パラメータの組み合わせを示している。
【０１０９】
次に、第１受信部１ａに模擬的に入力する信号を変えて第１受信入力検知部４ａで検知される検知情報を変化させ、上記と同様に第１受信特性可変部２ａに入力する制御パラメータを変化させていき、このときの第１受信入力検知部４ａで検知される検知情報に対応づける制御パラメータを決定する。
【０１１０】
図３（ｂ）は、第１受信入力検知部４ａから出力される検知情報の振幅レベルがａ１、ＡＭ成分がｃ２となる、図３（ａ）とは異なる模擬信号を第１受信部１ａに入力した場合の評価結果を示している。図３（ａ）の場合と同様にして、このときの検知情報に対応づける制御パラメータは、（高域周波数特性パラメータ、ステレオ分離度パラメータ）＝（ｆ２、ｓ１）の組み合わせに決定される。
【０１１１】
同様にして、第１受信部１ａに模擬的に入力する信号を変化させていき、それぞれの検知情報に対応づける制御パラメータを決定していく。全ての検知情報（この場合は、振幅レベルとＡＭ成分）の組み合わせについて行うことにより、第１受信入力検知部４ａの全ての検知情報のそれぞれに対応づける、第１受信特性可変部２ａに入力するための制御パラメータの組み合わせを決定していく。
【０１１２】
図３（ｃ）は、上記の評価によって決定した、第１受信入力検知部４ａの検知情報に対応づけられる第１受信特性可変部２ａに入力する制御パラメータの組み合わせを示している。なお、ここでは、説明のために、振幅レベルとＡＭ成分の組み合わせのうちの２つの組み合わせの結果についてしか記載していないが、他の組み合わせについても図３（ａ）、（ｂ）と同様の評価を行うことにより、振幅レベルとＡＭ成分の全ての組み合わせのそれぞれに対して、制御パラメータが対応づけられる。
【０１１３】
このようにして決定した、図３（ｃ）に示す各検知情報とそれぞれに対応する制御パラメータの関係情報を格納して、第１制御情報テーブル２１ａを作成する。
【０１１４】
同様にして、実際の受信環境において第２アンテナ２０ｂから入力されると想定される信号を、模擬的に第２受信部１ｂに入力し、その信号を変化させて評価し、第２受信入力検知部４ｂで検知される検知情報に対応づける、第２受信特性可変部２ｂに入力する制御パラメータについても、決定していく。
【０１１５】
図４（ａ）、（ｂ）は、それぞれ、異なる模擬信号を第２受信部１ｂに入力した際の、第２受信特性可変部２ｂから改善処理されて出力される信号の特性評価結果を示している。その結果、第２受信入力検知部４ｂから出力される、振幅レベルがａ１、ＡＭ成分がｃ１の検知情報に対応づける制御パラメータは、（高域周波数特性パラメータ、ステレオ分離度パラメータ）＝（ｆ１、ｓ２）の組み合わせに決定され、振幅レベルがａ１、ＡＭ成分がｃ２の検知情報に対応づける制御パラメータは、（高域周波数特性パラメータ、ステレオ分離度パラメータ）＝（ｆ２、ｓ２）の組み合わせに決定される。
【０１１６】
図４（ｃ）は、これらの評価によって決定した、第２受信入力検知部４ｂの検知情報に対応づけられる第２受信特性可変部２ｂに入力する制御パラメータの組み合わせを示している。
【０１１７】
このようにして決定した、図４（ｃ）に示す各検知情報とそれぞれに対応する制御パラメータの関係情報を格納して、第２制御情報テーブル２１ｂを作成する。
【０１１８】
次に、上記で作成した第１制御情報テーブル２１ａおよび第２制御情報テーブル２１ｂを図１の受信装置に格納させておいた上で、第１受信部１ａおよび第２受信部１ｂの両方に模擬的な信号を入力する。この状態で、合成切替部６に入力する合成配分パラメータを変化させ、入力した合成配分パラメータ毎に出力される信号の品質を評価する。
【０１１９】
図５（ａ）は、第１受信入力検知部４ａおよび第２受信入力検知部４ｂからの２つの検知情報の組み合わせが異なる模擬信号を、第１受信部１ａおよび第２受信部１ｂに入力していき、それらのそれぞれの模擬信号の場合について、合成切替部６に入力する合成配分パラメータを変化させたときの合成切替部６から出力される信号の品質評価結果を示している。
【０１２０】
第１制御情報テーブル２１ａおよび第２制御情報テーブル２１ｂには、図３および図４の評価により決定した検知情報と制御パラメータとの対応づけの情報を格納しているので、第１受信特性可変部２ａおよび第２受信特性可変部２ｂには、それぞれ、これらのテーブルに基づいた制御パラメータが入力される。つまり、図５（ａ）に示すように、例えば、第１受信入力検知部４ａの検知情報が、（振幅レベル、ＡＭ成分）＝（ａ１、ｃ１）の場合には、第１受信特性可変部２ａには、（高域周波数特性パラメータ、ステレオ分離度パラメータ）＝（ｆ２、ｓ２）が入力され、第２受信入力検知部４ｂの検知情報が、（振幅レベル、ＡＭ成分）＝（ａ１、ｃ１）の場合には、第２受信特性可変部２ｂには、（高域周波数特性パラメータ、ステレオ分離度パラメータ）＝（ｆ１、ｓ２）が入力される。
【０１２１】
そして、それぞれの検知情報の組み合わせ毎に合成配分パラメータを変化させていき、そのそれぞれの場合における合成切替部６から出力される信号の音質について、図３、図４の場合と同様に４人の評価者の主観による評価を行わせ、各評価者の評価結果を総合することにより総合的な音質の判断としている。
【０１２２】
例えば、決定する合成配分パラメータに対して少なくとも必要であると規定する所定の品質として、ここでは「合計点が１０点以上」としておくと、合計点が１０点以上の中から、このときの検知情報に対応づける合成配分パラメータを決定する。そして、この所定の品質を満たす合成配分パラメータの中から、最も品質のよいもの（この場合は、合計点が最も大きいもの）を、このときの検知情報に対応づける合成配分パラメータと決定する。
【０１２３】
そして、第１受信部１ａおよび第２受信部１ｂに模擬的に入力する信号を変えて第１受信入力検知部４ａおよび第２受信入力検知部４ｂで検知される検知情報を変化させていき、それぞれの検知情報に対応づける合成配分パラメータを決定していく。全ての検知情報（この場合は、第１受信入力検知部４ａおよび第２受信入力検知部４ｂから出力される、それぞれの振幅レベルとＡＭ成分）の組み合わせについて行うことにより、全ての検知情報の組み合わせのそれぞれに対応づける、合成切替部６に入力するための合成配分パラメータを決定していく。
【０１２４】
図５（ｂ）は、検知情報の組み合わせ毎に決定した、それぞれに対応づけられる合成切替部６に入力する合成配分パラメータを示している。
【０１２５】
このようにして決定した、図５（ｂ）に示す各検知情報の組み合わせとそれぞれに対応する合成配分パラメータの関係情報を、格納して合成切替テーブル２２を作成する。
【０１２６】
以上のようにして、聴感評価によって各テーブルを作成することができる。検知情報の数や、特性制御情報の数を増やし、また、それぞれの情報を細分化して評価することにより、より高品質な音質となる対応づけを決定することができる。また、評価者の母数を大きくしたり、各評価者の評価結果の総合方法などを工夫することにより、さらに高精度な対応づけとすることができる。
【０１２７】
なお、第１受信部１ａおよび第２受信部１ｂに模擬的に入力する信号は、例えば、様々な実環境下での第１受信部１ａおよび第２受信部１ｂで受信される信号を記録して蓄積しておき、その蓄積した情報を供給するようにしてもよいし、機械的に様々な状態の信号を作成し、それらの信号を供給するようにしてもよい。また、実環境下で記録した情報を基にして、機械的に特性を変化させたりノイズを混入させた信号を作成し、供給するようにしてもよい。
【０１２８】
また、上記で決定する最適な受信特性や最高の品質は、それぞれ所定の受信特性や品質レベルを決めておき、これらの所定の受信特性や品質レベルを確保できるものの中から決定する。
【０１２９】
また、上記した受信信号の特性や品質の評価は、上記の例のようにリスナーの主観による聴感評価で行ってもよいし、測定値のレベルなどによる電気的評価で行ってもよいし、これらの評価方法を組み合わせて行ってもよい。
【０１３０】
例えば、評価する放送内容に応じて、これらの評価方法の結果を組み合わせたテーブルを作成してもよい。電気的評価と聴感評価とは一致しないのが一般的であり、聴感上最適となる音質とするためには聴感評価の結果を用いることが望ましい。しかし、評価対象の、音楽内容、ナレーションなどの変調情報の種類や、変調度が低い場合などによって、人間の聴感の限界（検知限界）を超えるようなものもあり、このような場合には、電気的評価の結果を用いるのが望ましい。したがって、人間の聴感の検知範囲については聴感評価の結果を採用し、人間の聴感の検知限界を超える範囲については電気的評価の結果を採用したテーブルとすることにより、高い品質の信号を出力させるテーブルを作成できる。
【０１３１】
また、人間の聴感の範囲内については聴感評価の結果に基づくテーブルを使用することとし、人間の聴感の限界を超える範囲については、一般的に電気的制御を行う場合の制御情報を用いて制御するようにしてもよい。例えば、変調度検知情報などによって、これらの制御を切り替えるように制御できる。また、テーブルの、人間の聴感の限界を超える範囲の検知情報と制御情報との対応づけを、電気的制御を行う場合の制御情報に対応づけたものとしてもよい。
【０１３２】
次に、図６に、本実施の形態１の他の構成の受信装置のブロック図を示す。図１と同じ構成部分には、同じ符号を用いている。
【０１３３】
図６の受信装置は、第３受信特性可変部８、受信特性可変制御部９、および合成信号制御情報テーブル２３がさらに設けられている点が、図１の受信装置と異なる。
【０１３４】
第３受信特性可変部８は、受信特性可変制御部９から入力される制御パラメータにしたがって、合成切替部６の出力信号の特性改善処理を行う。
【０１３５】
なお、第３受信特性可変部８が、本発明の合成信号特性可変部の一例にあたる。また、受信特性可変制御部９が、本発明の合成信号特性制御部の一例にあたり、合成信号制御情報テーブル２３が、本発明の合成信号特性制御関係情報記憶部の一例にあたる。また、第３受信特性可変部８に入力する制御パラメータが、本発明の合成信号特性制御情報の一例にあたる。
【０１３６】
また、合成信号制御情報テーブル２３には、第１受信入力検知部４ａで検知された検知情報および第２受信入力検知部４ｂで検知された検知情報の両方の検知情報の組み合わせと、それらの検知情報が得られた際の合成切替部６で合成され出力される信号の特性を第３受信特性可変部８によって最適な特性に改善できる第３受信特性可変部８に入力する制御パラメータと、が対応づけられた関係情報が予め格納されている。
【０１３７】
受信特性可変制御部９は、合成信号制御情報テーブル２３を参照して、第１受信入力検知部４ａで検知された検知情報と第２受信入力検知部４ｂで検知された検知情報の２つの検知情報の組み合わせに対応する制御パラメータを決定し、その制御パラメータを第３受信特性可変部８に入力する。
【０１３８】
このように、本実施の形態１の図６の構成の受信装置では、合成切替部６で合成された信号に対して、さらに特性改善処理をするので、図１の構成の受信装置よりも、さらに高レベルの受信性能を発揮させることができる。
【０１３９】
なお、合成信号制御情報テーブル２３は、上記した合成切替テーブル２２の作成方法と同様の方法で作成することができる。合成切替テーブル２２を作成する際に、合成切替部６に入力する合成パラメータを変化させるとともに第３受信特性可変部８に入力する制御パラメータも変化させて、合成切替テーブル２２とともに合成信号制御情報テーブル２３を作成するようにしてもよい。
【０１４０】
なお、本実施の形態１の受信装置の合成切替部６は、復調された信号を処理する。すなわち、図１および図６に示す本実施の形態１の受信装置には復調処理を行うブロックを記載していないが、第１受信部１ａや第２受信部１ｂなどに復調機能を有している。
【０１４１】
具体的には、第１受信部１ａや第２受信部１ｂなどが、全般的な復調系機能、もしくは振幅変調（ＡＭ）、周波数変調（ＦＭ）などに対するアナログ復調機能、もしくはパルス・コード変調（ＰＣＭ）、時分割多重変調（ＴＤＭ）、周波数多重変調（ＦＤＭ）、直交周波数多重変調（ＯＦＤＭ）などに対するデジタル復調機能などを有している。
【０１４２】
また、第１受信入力検知部４ａおよび第２受信入力検知部４ｂで検知され、第１特性制御部５ａや第２特性制御部５ｂに渡される検知情報として、具体的には、（１）受信電界の強度情報、（２）ノイズフロアレベル情報、（３）受信信号の電界強度とマルチパス妨害信号の電界強度との比を表す情報、（４）受信信号の電界強度と隣接チャンネル妨害信号の電界強度との比を表す情報、（５）受信信号の電界強度と過変調妨害信号の電界強度との比を表す情報、（６）受信信号の電界強度と同一チャンネル妨害信号の電界強度との比を表す情報、（７）受信信号の電界強度とインターモジュレーション妨害信号の電界強度との比を表す情報、（８）受信信号の電界強度とクロスモジュレーション妨害信号の電界強度との比を表す情報、（９）受信信号の電界強度とパルスノイズ妨害信号の電界強度との比を表す情報、（１０）受信信号の電界強度と外乱妨害信号の電界強度との比を表す情報、などを用いることができる。
【０１４３】
また、第１受信特性可変部２ａおよび第２受信特性可変部２ｂに入力する特性制御情報として、例えば、周波数特性情報、ステレオ分離度情報、音量レベル情報、ミューティング情報などの音質最適受信特性制御出力を用いることもできる。
【０１４４】
また、合成切替部６に入力する合成制御情報として、例えば、ダイバーシティ最適受信特性制御出力であってダイバーシティ入力それぞれを合成もしくは切り替える情報や、アンテナ切り替えダイバーシティ最適受信特性制御出力、アレー合成アンテナダイバーシティ最適受信特性制御出力などを用いることもできる。
【０１４５】
なお、図１や図６に示すブロック図は、機能的なブロックを記載したものであり、必ずしもハード的な構成と一致するものではない。例えば、第１特性制御部５ａ、第２特性制御部５ｂ、および合成切替制御部７の機能を１つの構成部分が処理するようにしてもよいし、第１制御情報テーブル２１ａ、第２制御情報テーブル２１ｂ、および合成切替テーブル２２が、相互に関連するようなテーブルであってもよいし、１つのデータベースで実現されるような構成であってもよい。また、第１制御情報テーブル２１ａと第２制御情報テーブル２１ｂが、共通の１つのテーブルであってもよい。
【０１４６】
なお、図１や図６に示す各ブロックの機能は、ハードウェアでも実現できるし、ソフトウェアでも実現できる。例えば、第１受信部１ａおよび第２受信部１ｂの前段にＡ／Ｄ変換機能があり、第１受信部１ａおよび第２受信部１ｂに入力される信号がデジタルデータの場合には、図１や図６に示す全てのブロックの機能をソフトウェアで実現することもできる。例えば、第１制御情報テーブル２１ａ、第２制御情報テーブル２１ｂ、合成切替テーブル２２などをＲＯＭなどに格納しておき、ＣＰＵにプログラムを実行させることにより、図１や図６に示す全てのブロックの処理を行わせることができる。
【０１４７】
（実施の形態２）
図７に、本発明の実施の形態２の受信装置のブロック図を示す。
【０１４８】
図１の実施の形態１の受信装置と同じ構成部分には、同じ符号を用いている。以下、実施の形態１の受信装置と異なる点について説明する。
【０１４９】
本実施の形態２の受信装置は、第１アンテナ２０ａによって放送電波を受信する第１受信部１ａと、第１受信部１ａにおける受信状態を検知する第１受信入力検知部４ａと、第１受信部１ａで受信した受信信号に対して特性改善処理を行う第１受信特性可変部２ａで構成される第１受信ユニット１３ａを備えている。
【０１５０】
また、第１アンテナ２０ａとは異なる位置に配置されている第２アンテナ２０ｂによって放送電波を受信する第２受信部１ｂと、第２受信部１ｂにおける受信状態を検知する第２受信入力検知部４ｂと、第２受信部１ｂで受信した受信信号に対して特性改善処理を行う第２受信特性可変部２ｂで構成される第２受信ユニット１３ｂを備えている。
【０１５１】
さらに、第１受信ユニット１３ａの出力と第２受信ユニット１３ｂの出力の２つの出力信号を、合成して出力し、もしくは切替えて出力する合成切替部６と、第１受信入力検知部４ａの検知結果および第２受信入力検知部４ｂの検知結果に基づいて、第１受信特性可変部２ａ、第２受信特性可変部２ｂ、および合成切替部６を制御する特性／合成制御部１１と、特性／合成制御部１１がこれらを制御する際に参照する特性／合成切替制御情報テーブル２４を備えている。
【０１５２】
なお、特性／合成制御部１１が、本発明の特性合成制御部の一例にあたり、特性／合成切替制御情報テーブル２４が、本発明の特性合成制御関係情報記憶部の一例にあたる。
【０１５３】
第１受信特性可変部２ａ、第２受信特性可変部２ｂ、および合成切替部６の制御を、図１に示す受信装置では、第１特性制御部５ａ、第２特性制御部５ｂ、および合成切替制御部７がそれぞれのテーブルを参照して制御していたのに対し、本実施の形態２の受信装置では、特性／合成制御部１１が１つの特性／合成切替制御情報テーブル２４を参照して制御する点が異なる。
【０１５４】
特性／合成切替制御情報テーブル２４には、第１受信入力検知部４ａおよび第２受信入力検知部４ｂで検知された検知情報と、それらの検知情報が得られた際に合成切替部６で合成されて出力される信号を最適な品質にするための、第１受信特性可変部２ａに入力する制御パラメータ、第２受信特性可変部２ｂに入力する制御パラメータ、および合成切替部６に入力する合成パラメータ、が対応づけられた関係情報が予め格納されている。
【０１５５】
特性／合成制御部１１は、第１受信入力検知部４ａおよび第２受信入力検知部４ｂからの検知情報を取得すると、特性／合成切替制御情報テーブル２４を参照して、その第１受信入力検知部４ａおよび第２受信入力検知部４ｂの検知情報に対応する、第１受信特性可変部２ａに入力する制御パラメータ、第２受信特性可変部２ｂに入力する制御パラメータ、および合成切替部６に入力する合成パラメータを決定し、それらのパラメータを、第１受信特性可変部２ａ、第２受信特性可変部２ｂ、および合成切替部６に入力する。
【０１５６】
このように各パラメータが入力されて、合成切替部６からは、最適な品質の信号が出力される。
【０１５７】
ここで、制御情報と検知情報との対応関係について、図１に示した実施の形態１の受信装置の場合との違いについて説明する。
【０１５８】
図８（ａ）は、図１に示す実施の形態１の受信装置の、図８（ｂ）は、図７に示す本実施の形態２の受信装置の、それぞれの、検知情報に対応づけられる制御情報の対応関係を示している。
【０１５９】
図８（ａ）に示すように、図１に示した実施の形態１の受信装置の場合には、第１特性制御部５ａは、第１受信入力検知部４ａからの検知情報のみに基づいた第１受信特性可変部２ａに入力する制御パラメータを決定し、第２特性制御部５ｂは、第２受信入力検知部４ｂからの検知情報のみに基づいた第２受信特性可変部２ｂに入力する制御パラメータを決定する。そして、合成切替部６に入力する合成パラメータについては、合成切替制御部７は、第１受信入力検知部４ａおよび第２受信入力検知部４ｂからの両方の検知情報の組み合わせに基づいたパラメータを決定する。
【０１６０】
それに対して、図７に示す本実施の形態２の受信装置では、図８（ｂ）に示すように、特性／合成制御部１１は、第１受信特性可変部２ａに入力する制御パラメータについても、第２受信特性可変部２ｂに入力する制御パラメータについても、第１受信入力検知部４ａおよび第２受信入力検知部４ｂの両方の検知情報の組み合わせに基づいたパラメータを決定する。
【０１６１】
このように、近くに配置された他のアンテナで受信される信号の状態も考慮された、第１受信特性可変部２ａおよび第２受信特性可変部２ｂに入力する制御パラメータに決定されるので、図１に示した実施の形態１の受信装置よりも、さらに高レベルの受信性能を発揮させることができる。
【０１６２】
また、例えば、第１受信特性可変部２ａからの出力のみが出力されるように合成切替部６の入力を切り替える場合に、特性／合成切替制御情報テーブル２４で、その合成パラメータに連動させて第２受信特性可変部２ｂからの出力が全ミュートされるような制御パラメータを対応づけておくことで、第２受信特性可変部２ｂからの出力による影響を排除することもできる。
【０１６３】
なお、図７に示す特性／合成切替制御情報テーブル２４において、本実施の形態２では、全ての制御パラメータが、第１受信入力検知部４ａおよび第２受信入力検知部４ｂの検知情報の組み合わせに対応づけられている場合について説明したが、これに限らず、例えば、いずれかの検知情報にのみ対応づけられている制御パラメータが含まれていてもよい。
【０１６４】
複数のアンテナで受信した信号を合成することで、受信電波の指向特性を制御できるアレーアンテナ合成が知られている。
【０１６５】
図９に、アレーアンテナによる指向特性の制御を説明するための図を示している。
【０１６６】
図９（ａ）は、アレーアンテナが受信する電波の方向を示しており、図９（ｂ）は、受信信号を合成するアレーアンテナの構成模式図を示している。図９（ｃ）および（ｄ）は、図９（ａ）、（ｂ）に示すアンテナ１およびアンテナ２の、それぞれのアンテナの指向特性を示している。なお、図９（ｃ）および（ｄ）は、正規化表示のグラフなので単位はない。
【０１６７】
２つのアンテナで受信した受信信号を合成した合成受信信号の指向特性は、それぞれの受信信号のゲインおよび位相を制御して合成することにより制御することができる。
【０１６８】
２つのアンテナで受信した信号の位相制御は、２つの受信信号の相対的な位相を制御できればよいので、図９（ｂ）に示すように、一方の受信信号の位相を制御する機能と、２つのアンテナの受信信号のそれぞれのゲインを制御する機能を設けて、それらのゲインおよび位相制御後の信号を合成する構成とすることで、合成受信信号の指向特性を制御することができる。
【０１６９】
図１０（ａ）〜（ｄ）は、図９に示したアンテナ１およびアンテナ２の受信信号を、ゲイン制御および位相制御して合成した合成受信信号の指向特性を正規化表示で示している。
【０１７０】
図９（ｂ）に示すアンテナ１で受信した信号に対する位相制御αおよびゲイン制御ＡＬ、アンテナ２で受信した信号に対するゲイン制御ＡＲの設定を変えることにより、図１０（ａ）〜（ｄ）に示すように合成受信信号の指向特性を制御することができる。
【０１７１】
例えば、図９（ａ）のθ＝π／６の方向から妨害波が到来している場合には、図１０（ｂ）のようにゲイン制御ＡＬ、ＡＲ、位相制御αを設定することにより、指向性のヌルをθ＝π／６の方向に向けることができ、妨害波を除去することができる。
【０１７２】
このように、２つのアンテナの受信信号のそれぞれのゲインおよび位相差を制御することで、指向性を制御することができる。
【０１７３】
図７に示す本実施の形態２の受信装置において、希望波や妨害波の到来方向に起因して変化する検知情報を用い、特性／合成切替制御情報テーブル２４で、その検知情報に対して、第１受信特性可変部２ａおよび第２受信特性可変部２ｂのゲイン制御パラメータおよび位相制御パラメータを対応づけることにより、指向性も考慮した特性改善処理を実現することができる。
【０１７４】
例えば、ＦＭ放送の場合、中間周波数の振幅が希望波や妨害波の到来方向に応じて変化するので、第１受信入力検知部４ａおよび第２受信入力検知部４ｂのそれぞれの中間周波数振幅情報を検知情報とし、特性／合成切替制御情報テーブル２４から、それらの中間周波数振幅情報の組み合わせに対応づけたゲイン制御パラメータおよび位相制御パラメータを抽出して、第１受信特性可変部２ａおよび第２受信特性可変部２ｂに入力することで、指向性を考慮した特性改善処理を行わせることができる。
【０１７５】
このような特性／合成切替制御情報テーブル２４を作成する際には、模擬信号として、希望波と妨害波の到来方向を変化させた複数の信号を入力していき、第１受信特性可変部２ａおよび第２受信特性可変部２ｂに入力するゲイン制御パラメータおよび位相制御パラメータを変化させながら、それぞれの出力信号を評価し、それぞれの模擬信号の検知情報に対応づけるゲイン制御パラメータおよび位相制御パラメータを決定していく。
【０１７６】
それぞれの出力信号の評価として、例えば、実施の形態１で説明したようなリスナーによる聴感評価を行って、その結果に基づいて各検知情報に対応づけるゲイン制御パラメータおよび位相制御パラメータを決定していく。
【０１７７】
この際の評価において、聴感評価を行うリスナーは、指向性を意識して評価を行う必要はなく、音質の良否のみを意識して評価を行えばよい。希望波や妨害波の指向性による音質への影響が大きい場合には、評価者が音質がよいと感じるパラメータの設定とすることにより、その設定が最適な指向性にする設定となる。つまり、希望波や妨害波の到来方向を知らなくても、結果的に最適な指向性にできるパラメータの設定を決定できる。
【０１７８】
このように、第１受信特性可変部２ａおよび第２受信特性可変部２ｂに入力するゲイン制御パラメータおよび位相制御パラメータも他の制御パラメータとともに変化させながら出力信号の音質評価を行い、その中で音質が最高のものを決定していくことにより、指向性も考慮した制御パラメータが決定されていく。
【０１７９】
図７に示す本実施の形態２の受信装置では、特性／合成制御部１１が、第１受信入力検知部４ａと第２受信入力検知部４ｂの両方の検知情報に基づいて、第１受信特性可変部２ａと第２受信特性可変部２ｂの制御パラメータを入力できるので、上記で作成した特性／合成切替制御情報テーブル２４を用いて、中間周波数振幅情報も含む第１受信入力検知部４ａおよび第２受信入力検知部４ｂからの検知情報に基づいた制御パラメータを決定し、第１受信特性可変部２ａおよび第２受信特性可変部２ｂに入力することにより、指向性まで考慮された品質の高い出力信号を出力させることができる。
【０１８０】
本実施の形態２の受信装置は、このような特性／合成切替制御情報テーブル２４を用いることにより、例えば送信局を同一とするマルチパス妨害波や送信局が異なる他放送局の同一チャンネル妨害波などの、妨害波が希望波と同一周波数の妨害も高レベルに排除することができる。
【０１８１】
また、放送電波を受信する際には、希望波や妨害波の到来方向を知らなくても、この特性／合成切替制御情報テーブル２４を用いることにより、指向性を考慮した特性改善処理の制御を実現できる。つまり、希望波や妨害波の到来方向の検出をしなくても、指向性を考慮した特性改善処理ができる。
【０１８２】
図１１に、本実施の形態２の他の構成の受信装置のブロック図を示す。図６および図７と同じ構成部分には、同じ符号を用いている。
【０１８３】
図１１の受信装置は、第３受信特性可変部８がさらに設けられている点が、図７の受信装置と異なる。
【０１８４】
この場合、特性／合成切替制御情報テーブル２４には、第１受信入力検知部４ａおよび第２受信入力検知部４ｂで検知された検知情報と、それらの検知情報が得られた際に第３受信特性可変部８から出力される信号を最適な品質にするための、第１受信特性可変部２ａに入力する制御パラメータ、第２受信特性可変部２ｂに入力する制御パラメータ、合成切替部６に入力する合成パラメータ、および第３受信特性可変部８に入力する制御パラメータが対応づけられた関係情報が予め格納されている。
【０１８５】
第３受信特性可変部８は、特性／合成制御部１１から入力される制御パラメータにしたがって、合成切替部６の出力信号の特性改善処理を行う。
【０１８６】
なお、第３受信特性可変部８が、本発明の合成信号特性可変部の一例にあたり、第３受信特性可変部８に入力される制御パラメータが、本発明の合成信号特性制御情報の一例にあたる。また、図１１の受信装置における特性／合成制御部１１は、本発明の特性合成総合制御部の一例にあたり、特性／合成切替制御情報テーブル２４が、本発明の合成総合関係情報記憶部の一例にあたる。
【０１８７】
特性／合成制御部１１が有する特性／合成切替制御情報テーブル２４には、第１受信入力検知部４ａで検知された検知情報および第２受信入力検知部４ｂで検知された検知情報の両方の検知情報の組み合わせと、それらの検知情報が得られた際の合成切替部６で合成され出力される信号の特性を第３受信特性可変部８によって最適な特性に改善できる第３受信特性可変部８に入力する制御パラメータと、が対応づけられた関係情報も予め格納されている。
【０１８８】
特性／合成制御部１１は、第１受信入力検知部４ａおよび第２受信入力検知部４ｂからの検知情報を取得すると、特性／合成切替制御情報テーブル２４を参照して、第１受信特性可変部２ａ、第２受信特性可変部２ｂ、および合成切替部６に入力する各パラメータを決定して入力するとともに、第３受信特性可変部８に入力する制御パラメータも決定して、その制御パラメータを第３受信特性可変部８に入力する。
【０１８９】
また、特性／合成切替制御情報テーブル２４に予め設定しておく第３受信特性可変部８に入力する制御パラメータの情報は、第１受信部１ａおよび第２受信部１ｂの両方に模擬信号を供給しながら、第１受信特性可変部２ａ、第２受信特性可変部２ｂ、合成切替部６、および第３受信特性可変部８に入力する各パラメータを変化させて第３受信特性可変部８から出力される信号の特性を評価し、第１受信入力検知部４ａおよび第２受信入力検知部４ｂの両方の検知情報の組み合わせに対応づける他のパラメータと共に決定していく。
【０１９０】
なお、受信ユニットが３以上（Ｎが３以上）の場合には、第３受信特性可変部８に入力される制御パラメータを決定する際に、全ての検知情報ではなく一部の検知情報のみに基づいて決定するようにしてもよい。
【０１９１】
また、特性／合成切替制御情報テーブル２４に予め設定しておく第３受信特性可変部８に入力する制御パラメータも、他のパラメータと同様に、所定の特性レベルを決めておき、第３受信特性可変部８からの出力信号がその所定の特性レベルを確保できるものの中から決定する。
【０１９２】
このように、本実施の形態２の図１１の構成の受信装置では、合成切替部６で合成された信号に対して、さらに特性改善処理を行うので、図７の構成の受信装置よりもさらに高レベルの受信性能を発揮させることができる。
【０１９３】
以上に説明したように、本実施の形態２の受信装置は、実施の形態１の受信装置に加えて、指向性も考慮した特性改善処理を実現できるので、実施の形態１よりもさらに高レベルの受信性能を発揮させることができる。
【０１９４】
なお、図７の構成の受信装置において、特性／合成制御部１１が、第１受信特性可変部２ａ、第２受信特性可変部２ｂ、および合成切替部６に、制御パラメータまたは合成パラメータを入力するタイミングは、実施の形態１の場合と同様に、その受信装置の使用環境に応じて設定すればよい。また、図１１の構成の受信装置において第３受信特性可変部８に制御パラメータを入力するタイミングについても、同様にその受信装置の使用環境に応じて設定すればよい。これらの入力タイミングの制御は、実施の形態１で説明したのと同様に、第１受信特性可変部２ａおよび第２受信特性可変部２ｂの検知タイミングを変えたり、検知情報の変化の判断方法を変えるなどして、その受信装置に適切な制御とすればよい。
【０１９５】
（実施の形態３）
図１２に、本発明の実施の形態３の受信装置のブロック図を示す。
【０１９６】
図６の実施の形態１の受信装置と同じ構成部分には、同じ符号を用いている。以下、実施の形態１の受信装置と異なる点について説明する。
【０１９７】
本実施の形態３の受信装置は、合成切替部６と第３受信特性可変部８の間に復調部１０がさらに設けられている点が、図６の実施の形態１の受信装置と異なる。
【０１９８】
復調部１０は、具体的には、全般的な復調系機能、もしくは振幅変調（ＡＭ）、周波数変調（ＦＭ）などに対するアナログ復調機能、もしくはパルス・コード変調（ＰＣＭ）、時分割多重変調（ＴＤＭ）、周波数多重変調（ＦＤＭ）、直交周波数多重変調（ＯＦＤＭ）などに対するデジタル復調機能などを有している。
【０１９９】
なお、図１２に示す本実施の形態３の受信装置においては、第３受信特性可変部８が、本発明の復調信号特性可変部の一例にあたり、第３受信特性可変部８に入力する制御パラメータが、本発明の復調信号特性制御情報の一例にあたる。また、受信特性可変制御部９が、本発明の復調信号特性制御部の一例にあたり、合成信号制御情報テーブル２３が、本発明の復調信号特性制御関係情報記憶部の一例にあたる。
【０２００】
本実施の形態３の合成切替部６は、復調される以前の信号に対して、合成または切替えの処理をする。この合成切替部６が処理する信号が復調される以前の信号である以外は、図６に示した実施の形態１の受信装置の動作と同じである。前述したように、図６に示す実施の形態１の受信装置では、合成切替部６の前段の第１受信部１ａや第２受信部１ｂに復調機能を有しているので、図６の場合には、合成切替部６は復調された信号を処理する。
【０２０１】
本実施の形態３の受信装置は、合成切替部６において復調される以前の信号が合成または切替えされることにより、より受信入力に近い状態の信号において合成または切替えることができるので、図６に示した実施の形態１の受信装置と比較して、ダイバー受信の効果をさらに高レベルに発揮でき、これによりさらに高レベルの受信性能を常に発揮させることができる。
【０２０２】
図１３に、本実施の形態３の他の構成の受信装置のブロック図を示す。図１１と同じ構成部分には、同じ符号を用いている。
【０２０３】
図１３の受信装置は、図１１に示す実施の形態２の受信装置の、合成切替部６と第３受信特性可変部８の間に復調部１０を設けた構成である。
【０２０４】
この場合、特性／合成切替制御情報テーブル２４には、第１受信入力検知部４ａおよび第２受信入力検知部４ｂで検知された検知情報と、それらの検知情報が得られた際に復調部１０で復調され第３受信特性可変部８で特性を変化させて出力される信号を最適な品質にするための、第１受信特性可変部２ａに入力する制御パラメータ、第２受信特性可変部２ｂに入力する制御パラメータ、合成切替部６に入力する合成パラメータ、および第３受信特性可変部８に入力する制御パラメータが対応づけられた関係情報が予め格納されている。
【０２０５】
このように、実施の形態２の受信装置の構成に対しても、合成切替部６と第３受信特性可変部８の間に復調部１０を設けることにより、図１１の受信装置よりもさらに高レベルの受信性能を発揮させることができる。
【０２０６】
なお、図１３の受信装置における第３受信特性可変部８は、本発明の復調信号特性可変部の一例にあたり、第３受信特性可変部８に入力される制御パラメータが、本発明の復調信号特性制御情報の一例にあたる。また、図１３の受信装置における特性／合成制御部１１は、本発明の特性合成復調総合制御部の一例にあたり、特性／合成切替制御情報テーブル２４が、本発明の合成復調総合関係情報記憶部の一例にあたる。
【０２０７】
以上に説明した各実施の形態の受信装置は、異なる位置に配置された２つのアンテナで受信した受信信号の特性を個別に制御するので、受信電波に対する指向性も制御され、マルチパス妨害やフェージングに対しても対応できる。
【０２０８】
また、２つのアンテナで受信した信号の受信特性をそれぞれ制御して合成して受信出力信号を得るので、１つのアンテナで受信した場合よりも高レベルの受信性能を発揮させることができる。
【０２０９】
また、各実施の形態では、２つの受信ユニットの構成で説明したが、受信ユニットを３つ以上の構成としてもよい。受信ユニットをさらに追加した構成とすることにより、さらに高レベルの受信性能を発揮させることができる。
【０２１０】
なお、本発明のプログラムは、上述した本発明の受信装置の、放送信号を受信する前記受信部、受信信号の状態を検知して検知情報を出力する前記検知部、前記受信信号の特性を変更する前記特性可変部、前記検知情報に応じて前記特性制御関係情報記憶部に基づいて前記特性制御情報を決定し前記特性可変部を制御する前記特性制御部、それぞれの前記特性可変部によって特性が改善されたそれぞれの前記受信信号を合成する前記合成部、それぞれの前記検知情報の全部または一部に応じて前記合成制御関係情報記憶部に基づいて前記合成制御情報を決定し前記合成部を制御する前記合成制御部の機能をコンピュータにより実行させるためのプログラムであって、コンピュータと協働して動作するプログラムである。
【０２１１】
また、本発明の記録媒体は、上述した本発明の受信装置の、放送信号を受信する前記受信部、受信信号の状態を検知して検知情報を出力する前記検知部、前記受信信号の特性を変更する前記特性可変部、前記検知情報に応じて前記特性制御関係情報記憶部に基づいて前記特性制御情報を決定し前記特性可変部を制御する前記特性制御部、それぞれの前記特性可変部によって特性が改善されたそれぞれの前記受信信号を合成する前記合成部、それぞれの前記検知情報の全部または一部に応じて前記合成制御関係情報記憶部に基づいて前記合成制御情報を決定し前記合成部を制御する前記合成制御部の機能をコンピュータにより実行させるためのプログラムを記録した記録媒体であり、コンピュータにより読み取り可能かつ、読み取られた前記プログラムが前記コンピュータと協働して利用される記録媒体である。
【０２１２】
また、本発明のプログラムは、上述した本発明の受信装置の、放送信号を受信する前記受信部、受信信号の状態を検知して検知情報を出力する前記検知部、前記受信信号の特性を変更する前記特性可変部、それぞれの前記特性可変部によって特性が変更されたそれぞれの前記受信信号を合成する前記合成部、それぞれの前記検知情報に応じて、前記特性合成制御関係情報記憶部に基づいてそれぞれの前記特性制御情報および前記合成制御情報を決定し、それぞれの前記特性可変部および前記合成部を制御する前記特性合成制御部の機能をコンピュータにより実行させるためのプログラムであって、コンピュータと協働して動作するプログラムである。
【０２１３】
また、本発明の記録媒体は、上述した本発明の受信装置の、放送信号を受信する前記受信部、受信信号の状態を検知して検知情報を出力する前記検知部、前記受信信号の特性を変更する前記特性可変部、それぞれの前記特性可変部によって特性が変更されたそれぞれの前記受信信号を合成する前記合成部、それぞれの前記検知情報に応じて、前記特性合成制御関係情報記憶部に基づいてそれぞれの前記特性制御情報および前記合成制御情報を決定し、それぞれの前記特性可変部および前記合成部を制御する前記特性合成制御部の機能をコンピュータにより実行させるためのプログラムを記録した記録媒体であり、コンピュータにより読み取り可能かつ、読み取られた前記プログラムが前記コンピュータと協働して利用される記録媒体である。
【０２１４】
また、本発明のプログラムの一利用形態は、コンピュータにより読み取り可能な、ＲＯＭ等の記録媒体に記録され、コンピュータと協働して動作する態様であっても良い。
【０２１５】
また、本発明のプログラムの一利用形態は、インターネット等の伝送媒体、光・電波等の伝送媒体中を伝送し、コンピュータにより読みとられ、コンピュータと協働して動作する態様であっても良い。
【０２１６】
また、上述した本発明のコンピュータは、ＣＰＵ等の純然たるハードウェアに限らず、ファームウェアや、ＯＳ、更に周辺機器を含むものであっても良い。
【０２１７】
なお、以上説明した様に、本発明の構成は、ソフトウェア的に実現しても良いし、ハードウェア的に実現しても良い。
【産業上の利用可能性】
【０２１８】
本発明にかかる受信装置等は、従来よりも特性改善能力が高い効果を有し、放送および通信の分野で使用される受信装置等として有用である。
【図面の簡単な説明】
【０２１９】
【図１】本発明の実施の形態１の受信装置のブロック図
【図２】本発明の実施の形態１の受信装置の各制御情報の設定フローを示す図
【図３】（ａ）本発明の実施の形態１の受信装置のテーブルを作成する際の、第１受信特性可変部から出力される信号の特性評価結果を示す図、（ｂ）本発明の実施の形態１の受信装置のテーブルを作成する際の、第１受信特性可変部から出力される信号の特性評価結果を示す図、（ｃ）本発明の実施の形態１の受信装置のテーブルを作成する際の音質評価によって決定した、第１受信ユニット用制御情報テーブルで対応づけられる検知情報と制御パラメータの組み合わせを示す図
【図４】（ａ）本発明の実施の形態１の受信装置のテーブルを作成する際の、第２受信特性可変部から出力される信号の特性評価結果を示す図、（ｂ）本発明の実施の形態１の受信装置のテーブルを作成する際の、第２受信特性可変部から出力される信号の特性評価結果を示す図、（ｃ）本発明の実施の形態１の受信装置のテーブルを作成する際の音質評価によって決定した、第２受信ユニット用制御情報テーブルで対応づけられる検知情報と制御パラメータの組み合わせを示す図
【図５】（ａ）本発明の実施の形態１の受信装置のテーブルを作成する際の、合成切替部から出力される信号の音質評価結果を示す図、（ｂ）本発明の実施の形態１の受信装置のテーブルを作成する際の音質評価によって決定した、合成切替テーブルで対応づけられる検知情報と合成配分パラメータを示す図
【図６】本発明の実施の形態１の、他の構成の受信装置のブロック図
【図７】本発明の実施の形態２の受信装置のブロック図
【図８】（ａ）実施の形態１の受信装置における、検知情報に対応づけられる制御情報の対応関係を示す図、（ｂ）実施の形態２の受信装置における、検知情報に対応づけられる制御情報の対応関係を示す図
【図９】（ａ）アレーアンテナ合成のアレーアンテナが受信する電波の方向を示す図、（ｂ）受信信号を合成するアレーアンテナの構成模式図、（ｃ）アンテナ１の指向特性を示す図、（ｄ）アンテナ２の指向特性を示す図
【図１０】（ａ）〜（ｄ）図９に示したアンテナ１およびアンテナ２の受信信号を、ゲイン制御および位相制御して合成した合成受信信号の指向特性を示す図
【図１１】本発明の実施の形態２の、他の構成の受信装置のブロック図
【図１２】本発明の実施の形態３の受信装置のブロック図
【図１３】本発明の実施の形態３の、他の構成の受信装置のブロック図
【図１４】従来のＦＭ放送受信装置のブロック図
【符号の説明】
【０２２０】
１ａ  第１受信部
１ｂ  第２受信部
２ａ  第１受信特性可変部
２ｂ  第２受信特性可変部
３ａ  第１特性改善受信ユニット
３ｂ  第２特性改善受信ユニット
４ａ  第１受信入力検知部
４ｂ  第２受信入力検知部
５ａ  第１特性制御部
５ｂ  第２特性制御部
６  合成切替部
７  合成切替制御部
８  第３受信特性可変部
９  受信特性可変制御部
１０  復調部
１１  特性／合成制御部
１３ａ  第１受信ユニット
１３ｂ  第２受信ユニット
２０ａ  第１アンテナ
２０ｂ  第２アンテナ
２１ａ  第１制御情報テーブル
２１ｂ  第２制御情報テーブル
２２  合成切替テーブル
２３  合成信号制御情報テーブル
２４  特性／合成切替制御情報テーブル
【図１】
2008199128.tif 000003
【図２】
2008199128.tif 000004
【図３】
2008199128.tif 000005
【図４】
2008199128.tif 000006
【図５】
2008199128.tif 000007
【図６】
2008199128.tif 000008
【図７】
2008199128.tif 000009
【図８】
2008199128.tif 000010
【図９】
2008199128.tif 000011
【図１０】
2008199128.tif 000012
【図１１】
2008199128.tif 000013
【図１２】
2008199128.tif 000014
【図１３】
2008199128.tif 000015
【図１４】
2008199128.tif 000016